(57)【要約】【課題】簡単な作業で内容物の減少に応じて容量と外観形状とを小さくして再度閉蓋状態とすることができる箱体を提供する。【解決手段】胴部Ｂの所定領域を切除可能とする切除可能部１２を設ける。切除可能部１２を切除することにより胴部Ｂが２つに分割されて第１分割胴部Ｂａと第２分割胴部Ｂｂとが形成されたとき両分割胴部Ｂａ，Ｂｂ同士の連結状態を維持する連結部１３を設ける。連結部１３は、第１分割胴部Ｂａ側境界の第１折目線１５と、第２分割胴部Ｂｂ側境界の第２折目線１６と、第１折目線１５と第２折目線１６との間の第３折目線１８とを備える。連結部１３は、両分割胴部Ｂａ，Ｂｂを互いに近接させる方向に移動させたとき折り畳み重合状態となる。【選択図】図３
2017030784.tif 000002
【特許請求の範囲】
【請求項１】
多角筒状の胴部と、該胴部の両端を閉塞する一対の閉塞面とを備える箱体において、
前記胴部の一部を除いて該胴部の周方向に延びる帯状の所定領域を切除可能とする切除可能部と、前記胴部の一部により形成され、前記切除可能部を切除することにより前記胴部が２つに分割されて第１分割胴部と第２分割胴部とが形成された状態のとき両分割胴部同士の連結状態を維持する連結部とを備え、
前記連結部は、前記第１分割胴部との境界に沿って形成された第１折目線と、前記第２分割胴部との境界に沿って形成された第２折目線と、第１折目線と第２折目線との間に設けられて両分割胴部を互いに近接させる方向に移動させたとき該連結部を折り畳み重合状態とする第３折目線とを備えることを特徴とする箱体。
【請求項２】
前記連結部は、前記第２分割胴部との境界を基端として遊離する係止片と、前記第３折目線を介して折り畳み重合状態となったとき前記係止片を係止させる係止孔とを備えることを特徴とする請求項１記載の箱体。
【請求項３】
前記第２折目線は、前記第２分割胴部と前記連結部とを切離可能とするミシン目により形成されており、
前記第１分割胴部は、前記第２分割胴部に対向する端部側の全周にわたる他の所定領域及び前記連結部が切除可能とされていることを特徴とする請求項１又は２記載の箱体。
【請求項４】
前記第１分割胴部は、前記第２分割胴部に対向する端部に搖動自在の舌片を備えることを特徴とする請求項１〜３の何れか１項記載の箱体。
【発明の詳細な説明】
【技術分野】
【０００１】
本発明は、菓子等の食品を収納するのに好適な箱体に関する。
【背景技術】
【０００２】
従来、この種の箱体として、開封後に内容物が減少するのに合わせて、容量を減少させると共に外観形状を小さくして、再度閉蓋状態とすることができるものが知られている（例えば、特許文献１参照）。
【０００３】
この箱体は、内部の物品の残存量に応じて、箱の一部を切除し、折り曲げ、あるいは分離し、残存部分で蓋を形成するなどして容積を縮小させている。
【先行技術文献】
【特許文献】
【０００４】
【特許文献１】特開２００５−１６２２３４号公報
【発明の概要】
【発明が解決しようとする課題】
【０００５】
しかしながら、前記特許文献１に記載されている箱は、複数の舌片や蓋片といった比較的複雑な形状を箱形状の状態から切り抜く必要であるため、煩雑な作業と長い時間を要するだけでなく、切り抜く作業によって箱自体が破損するおそれがある。
【０００６】
上記の点に鑑み、本発明は、簡単な作業で内容物の減少に応じて容量と外観形状とを小さくして再度閉蓋状態とすることができる箱体を提供することを目的とする。
【課題を解決するための手段】
【０００７】
かかる目的を達成するために、本発明は、多角筒状の胴部と、該胴部の両端を閉塞する一対の閉塞面とを備える箱体において、前記胴部の一部を除いて該胴部の周方向に延びる帯状の所定領域を切除可能とする切除可能部と、前記胴部の一部により形成され、前記切除可能部を切除することにより前記胴部が２つに分割されて第１分割胴部と第２分割胴部とが形成された状態のとき両分割胴部同士の連結状態を維持する連結部とを備え、前記連結部は、前記第１分割胴部との境界に沿って形成された第１折目線と、前記第２分割胴部との境界に沿って形成された第２折目線と、第１折目線と第２折目線との間に設けられて両分割胴部を互いに近接させる方向に移動させたとき該連結部を折り畳み重合状態とする第３折目線とを備えることを特徴とする。
【０００８】
本発明の箱体は、内容物の減少に応じて容量と外観形状とを小さくするとき、先ず、切除可能部を切除して胴部を２つに分割する。これにより第１分割胴部と第２分割胴部とが形成されるが、連結部によって両分割胴部の連結状態が維持される。
【０００９】
次いで、両分割胴部の互いに対向する開口端部を互いに近接する方向に移動させると、例えば、第３折目線を介して山折りとなって（胴部の外側に突出して）連結部が重合状態となる。
【００１０】
そして、両分割胴部の互いに対向する開口端部同士を重ね合わせる（例えば、第１分割胴部の開口端部を第２分割胴部の開口端部の内側に入れ込む）ことにより容量と外観形状とが小さな箱体が閉蓋状態となる。
【００１１】
また、本発明においては、前記連結部に、前記第１分割胴部との境界を基端として遊離する係止片と、前記第３折目線を介して折り畳み重合状態となったとき前記係止片を係止させる係止孔とを設けておくことが好ましい。
【００１２】
これによれば、係止片を係止孔に係止させて連結部の重合状態を維持することができ、第１分割胴部と第２分割胴部とを連結部の互いに当接する両端縁をヒンジとした連結状態を形成することができる。よって、閉蓋状態の両分割胴部から一方の分割胴部を連結部によるヒンジを介して搖動させ、円滑に開蓋状態とすることができる。
【００１３】
また、本発明において、前記第２折目線は、前記第２分割胴部と前記連結部とを切離可能とするミシン目により形成されており、前記第１分割胴部は、前記第２分割胴部に対向する端部側の全周にわたる他の所定領域及び前記連結部が切除可能とされていることを特徴とする。
【００１４】
これによれば、第１分割胴部と第２分割胴部とで係止した箱体の内容物が更に減少した場合に、それに応じて一層小さな容積及び外観形状にして閉蓋状態とすることができる。即ち、先ず、ミシン目による第２折目線に沿って破断することにより、第２分割胴部を連結部から切り離す。次いで、第１分割胴部の他の所定領域を連結部と共に切り取る。そして、容積及び外観形状が小さくなった第１分割胴部の開口端部を第２分割胴部により閉蓋状態とすることができる。
【００１５】
また、本発明において、前記第１分割胴部は、前記第２分割胴部に対向する端部に搖動自在の舌片を備えることが好ましい。これによれば、第２分割胴部の開口端部内に第１分割胴部の舌片を挿入して、第１分割胴部の開口端部を円滑に閉蓋状態とすることができる。
【図面の簡単な説明】
【００１６】
【図１】本発明の実施形態の箱体を示す斜視図。
【図２】図１の箱体の展開図。
【図３】図３Ａは切除可能部の切除作業を示す説明図、図３Ｂは閉蓋作業を示す説明図、図３Ｃは閉蓋状態を示す側面図。
【図４】折り畳み重合状態の連結部及び係止片が係止孔に係止した状態を示す斜視図。
【図５】図５Ａは第２分割胴部の切り離し作業及び第１分割胴部の一部を切除する作業を示す説明図、図５Ｂは小さくなった第１分割胴部の第２分割胴部による閉蓋状態を示す斜視図。
【発明を実施するための形態】
【００１７】
本発明の一実施形態を図面に基づいて説明する。図１に示すように、箱体Ａは、外径が四角柱状に形成され、内部に図示しないビスケット等の菓子類が収容される。
【００１８】
箱体Ａは、図２に示すように、大略矩形状に打ち抜かれた板紙により形成される。箱体Ａの構成を図２の展開図を参照して説明する。
【００１９】
図２に示すように、箱体Ａは、４つの側板（第１側板１、第２側板２、第３側板３、第４側板４）を備えている。第１側板１の一側縁（図中右側縁）には折目線ａを介して第２側板２が連設されている。第２側板２の一側縁（図中右側縁）には折目線ｂを介して第３側板３が連設されている。第３側板３の一側縁（図中右側縁）には折目線ｃを介して第４側板４が連設されている。第１側板１の他側縁（図中左側縁）には折目線ｄを介して接着片５が連設されている。
【００２０】
箱体Ａは、その使用状態により上下となる側が異なる場合があるが、便宜上、以下の説明においては、図１の姿勢に基づき、図２の紙面上方を箱体Ａの上方として説明する。
【００２１】
第１側板１の上下縁の夫々には第１内フラップ６，６が折目線ｅ，ｅを介して連設されている。第３側板３の上下縁の夫々には第２内フラップ７，７が折目線ｆ，ｆを介して連設されている。第４側板４の上下縁の夫々には第３内フラップ８，８が折目線ｇ，ｇを介して連設されている。第２側板２の上下縁の夫々には外フラップ９，９が折目線ｈ，ｈを介して連設されている。
【００２２】
第１側板１、第２側板２、及び第４側板４には、一対の第１ジッパー１０，１１により帯状に切除可能な第１切除可能部１２が設けられている。第３側板３には、連結部１３が設けられている。第１切除可能部１２は、第１側板１に設けた縦方向に延びる縦切れ目線１４を破断開始部として切除操作される。
【００２３】
連結部１３は、第１切除可能部１２の下側の第１ジッパー１０に連なるように形成された第１横ミシン目１５と、第１切除可能部１２の上側の第１ジッパー１１に連なるように形成された第２横ミシン目１６と、第２側板２側の端縁と第４側板４側の端縁とに夫々形成された一対の縦ミシン目１７，１７とを備えている。
【００２４】
また、連結部１３は、第１横ミシン目１５と第２横ミシン目１６との間の中央位置で両横ミシン目１５，１６に平行に延びる中間折目線１８を備えている。後述するが、第１横ミシン目１５と第２横ミシン目１６とは折目線として用いることができ、第１横ミシン目１５、第２横ミシン目１６、及び中間折目線１８は、夫々、本発明における第１折目線、第２折目線、及び第３折目線に相当する。
【００２５】
更に、連結部１３には、第２横ミシン目１６を基端として半円状に遊離可能な係止片１９と、第１横ミシン目１５を基端として半円状に開口可能な係止孔形成部２０ａとが設けられている。係止孔形成部２０ａは、連結部１３から遊離した係止片１９よりも僅かに小さい形状に形成さており、詳しくは後述すが、係止孔２０（図４参照）が形成されると、この係止孔２０に挿入するようにして係止片１９が係止状態となる。
【００２６】
第１側板１、第２側板２、第３側板３、及び第４側板４には、上下一対の第２ジッパー２１，２２により帯状に切除可能な第２切除可能部２３が設けられている。第２切除可能部２３は、第１側板１に設けた縦方向に延びる他の縦切れ目線２４を破断開始部として切除操作される。
【００２７】
以上の構成により、箱体Ａを形成するときには、先ず、各折目線ａ，ｂ，ｃ，ｄを介して各側板１，２，３，４及び接着片５を折り曲げ、接着片５を第４側板４に接着して四角筒状とする。これにより、図１に示すように、胴部Ｂが形成される。次いで、胴部Ｂに菓子類を入れた後、図２を参照して、第１内フラップ６，６、第２内フラップ７，７、及び第３内フラップ８，８を順番に内側に折り曲げ、第３内フラップ８，８の外側に外フラップ９，９を接着する。これにより、図１に示すように、胴部Ｂの上下両端が閉塞面Ｃ，Ｃにより閉塞され、未開封状態となる。
【００２８】
内部の菓子類を消費するため、箱体Ａを開封するときには、図３Ａに示すように、第１切除可能部１２を切除する。これにより、胴部Ｂが下側の第１分割胴部Ｂａと上側で蓋として機能する第２分割胴部Ｂｂとに分割され、連結部１３が第１分割胴部Ｂａと第２分割胴部Ｂｂとを連結した状態で残る。更に、第１切除可能部１２を切除したことにより、第１分割胴部Ｂａには、第２分割胴部Ｂｂに対向する端部に半円形状の舌片２５，２５，２５が形成される。各舌片２５，２５，２５は内外方向に撓むことで搖動自在となっている。
【００２９】
第１分割胴部Ｂａは、第２分割胴部Ｂｂにより閉蓋することができる。即ち、図３Ｂに示すように、連結部１３の中間折目線１８を山折りとなるように折り曲げつつ、第２分割胴部Ｂｂを第１分割胴部Ｂａの開放端に近接させる。次いで、図３Ｃに示すように、連結部１３の中間折目線１８を介して上下半部同士を折り畳み重合状態とし、第２分割胴部Ｂｂを第１分割胴部Ｂａの開放端に被せる。このとき、第１分割胴部Ｂａの舌片２５，２５，２５が第２分割胴部Ｂｂの内面に重なり、確実な閉蓋状態が形成される。
【００３０】
その後、図４に示すように、連結部１３から係止片１９を遊離させて係止孔２０に押し込むと、連結部１３の折り畳み重合状態が確実に維持され、第２分割胴部Ｂｂを蓋として第１分割胴部Ｂａを開閉する際に連結部１３の基端をヒンジとして機能させ、円滑な開閉操作を行うことができる。
【００３１】
連結部１３は、第１横ミシン目１５と第２横ミシン目１６とによって第１分割胴部Ｂａと第２分割胴部Ｂｂとの何れからも切り離すことができるようになっているので、連結部を除去してヒンジを無くした状態で第２分割胴部Ｂｂにより第１分割胴部Ｂａを閉蓋することも可能である。連結部１３を切り離せないようにする場合には、第１横ミシン目１５及び第２横ミシン目１６に替えて夫々折目線とすればよい。
【００３２】
また、本実施形態の箱体Ａは、内部の菓子類が更に消費されたとき、第１分割胴部Ｂａの容積を更に小さくすることができる。即ち、図５Ａに示すように、第２横ミシン目１６を介して連結部１３から第２分割胴部Ｂｂを切り離し、第１分割胴部Ｂａの第２切除可能部２３を切除する。これにより、第１分割胴部Ｂａの高さが低下して減容化が施される。
そして、図５Ｂに示すように、第１分割胴部Ｂａの開放端に第２分割胴部Ｂｂを被せることで小型化した状態で閉蓋することができる。
【００３３】
なお、本実施形態においては、連結部１３の折り畳み重合状態を確実に維持するために連結部１３に係止片１９及び係止孔２０を設けた。係止片１９の係止孔２０への係止により折り畳み重合状態の連結部１３をヒンジとして機能させることができるが、ヒンジ機能が不要である場合には、係止孔２０に係止片１９を係止させなくてもよく、或いは、係止孔２０と係止片１９とを設けなくてもよい。
【００３４】
また、本実施形態においては、四角筒状の胴部Ｂを備える箱体Ａを示したが、本発明における胴部形状はこれに限るものではなく、三角以上の多角筒状に形成された胴部を備えていれば同様の効果を得ることができる。
【符号の説明】
【００３５】
Ａ…箱体、Ｂ…胴部、Ｂａ…第１分割胴部、Ｂｂ…第２分割胴部、Ｃ…閉塞面、１２…第１切除可能部（切除可能部）、１３…連結部、１５…第１横ミシン目（第１折目線、ミシン目）、１６…第２横ミシン目（第２折目線）、１８…中間折目線（第３折目線）、１９…係止片、２０…係止孔、２５…舌片。
【図１】
2017030784.tif 000003
【図２】
2017030784.tif 000004
【図３】
2017030784.tif 000005
【図４】
2017030784.tif 000006
【図５】
2017030784.tif 000007